(57)【要約】【課題】Ａ／Ｓラベルを有する電池及びその製造方法を提供すること。【解決手段】Ａ／Ｓラベルが電池のプラスチック部材内に貼り付けられている電池及びその製造方法。本発明に係る前記電池の場合、電池からＡ／Ｓラベルが外されることがなく、電池の所持者が任意に前記Ａ／Ｓラベルを変形したり他のものに貼り替えることを防ぐことができる。
2007527104.tif 000002
【特許請求の範囲】
【請求項１】
電解質と電極組立体を収める電池セルと、プラスチック成形体と、及びＡ／Ｓラベルを備えてなり、
前記Ａ／Ｓラベルが前記プラスチック成形体の内部に配置されているが、前記Ａ／Ｓラベルの一部は露出され、周縁部は前記プラスチック成形体に埋め込まれてなる、電池。
【請求項２】
前記プラスチック成形体が、電池の外付けケースである、請求項１に記載の電池。
【請求項３】
前記Ａ／Ｓラベルが、前記電池セルの上に位置する、請求項１に記載の電池。
【請求項４】
保護回路部をさらに備えてなる、請求項１に記載の電池。
【請求項５】
前記Ａ／Ｓラベルが、前記保護回路部の上に位置する、請求項４に記載の電池。
【請求項６】
前記Ａ／Ｓラベルが、浸水ラベルである、請求項１に記載の電池。
【請求項７】
前記浸水ラベルが色を有し、水との接触によって前記色が変わるか、それとも、無くなるものである、請求項６に記載の電池。
【請求項８】
電解質と、電極組立体を収める電池セルと、プラスチック成形体と、及びＡ／Ｓラベルを備えてなる電池の製造方法であって、
前記Ａ／Ｓラベルの一部は露出され、周縁部は前記プラスチック成形体に埋め込まれて前記Ａ／Ｓラベルが電池のプラスチック成形体の内部に配置されるようにプラスチック成形体を形成する段階を含んでなる、製造方法。
【請求項９】
前記Ａ／Ｓラベルを電池のプラスチック成形体の内部に配置する段階が、
前記電池セルの外側の所定個所にＡ／Ｓラベルを貼り付ける段階と、
前記Ａ／Ｓラベルが貼り付けられた電池セルを金型の成形スペース内に位置させ、Ａ／Ｓラベルの一部が外部に露出されるように金型に溶融樹脂を注入することにより、プラスチック成形体を形成する段階とを含んでなる、請求項８に記載の製造方法。
【請求項１０】
前記Ａ／Ｓラベルが、浸水ラベルである、請求項９に記載の製造方法。
【請求項１１】
前記プラスチック成形体が、外付けケースを形成する、請求項９に記載の製造方法。
【請求項１２】
前記プラスチック成形体を形成する段階において、前記成形体の所定個所に結着用突出部をさらに形成してなる、請求項９に記載の製造方法。
【請求項１３】
前記プラスチック成形体を形成するための溶融樹脂が、熱溶融樹脂または揮発性溶融樹脂である、請求項９に記載の製造方法。
【請求項１４】
前記電池が保護回路部をさらに備えてなり、前記Ａ／Ｓラベルを電池のプラスチック成形体の内部に配置する段階が、
電池セルの電極端子と保護回路部の該当電極端子を固定して電池セルと保護回路部を仮組立する段階と、
前記電池セルと保護回路部のうちどちらか一方の外側の所定個所にＡ／Ｓラベルを貼り付ける段階と、
前記電池セルと、保護回路部及びＡ／Ｓラベルを備える電池セル組立体を金型の成形スペース内に位置させ、Ａ／Ｓラベルの一部が外部に露出されるように金型に溶融樹脂を注入することにより、プラスチック成形体を形成する段階とを含んでなるものである、請求項８に記載の製造方法。
【請求項１５】
保護回路が形成された基板及び接続端子を順次に電気的に接続してなる保護回路部を金型の成形スペースに入れ、前記接続端子の一部が露出されるように前記成形スペース内にプラスチック溶融物を注入して成形して保護回路部の成形体を製造する過程において、
前記保護回路部にＡ／Ｓラベルを貼り付けた後、前記成形過程で前記接続端子の一部だけではなく、Ａ／Ｓラベルの一部も露出されるように保護回路部の成形体を製造する段階と、
前記保護回路部の成形体を電池セルと接続する段階とを含んでなる、電池の製造方法。
【発明の詳細な説明】
【技術分野】
【０００１】
本発明はＡ／Ｓラベルを有する電池及びその製造方法に係り、詳しくは、Ａ／Ｓラベルが電池のプラスチック成形体の内部に配置されているが、前記Ａ／Ｓラベルの一部は露出され、周縁部は前記プラスチック成形体に埋め込まれている電池及びその製造方法に関する。本発明に係る電池の場合、電池からＡ／Ｓラベルが外されることがなく、電池の所持者が任意に前記Ａ／Ｓラベルを変形したり他のものに貼り替えたりすることを防ぐことができる。
【背景技術】
【０００２】
電池に貼り付けられているＡ／Ｓラベルは、電池に障害や不良が生じたときに役立つものである。このラベルは、前記電池の障害や不良の原因がユーザの不注意によるものであるか、それとも、電池そのものの問題であるかを判別するための一種の基準として機能する。例えば、電池に障害が生じ、前記Ａ／Ｓラベルにユーザの不注意による障害であることが認められる目印があれば、前記ラベルは、前記障害がユーザの不注意によるものであると判別できる有力な根拠となる。
【０００３】
Ａ／Ｓラベルの一例として、現在、浸水ラベルが汎用されている。浸水ラベルは、それ自体がＡ／Ｓの対象となるわけではないが、障害が生じたとき、その原因が浸水や湿気による損傷であるかどうかを判別する上で有効である。すなわち、浸水ラベルは、水にかかると変色したり滲んだりする特性を有する物質からなるため、前記浸水ラベルの変色または滲みによって電池の浸水有無を容易に確かめることができる。その結果、電池の浸水ラベルが変色したり滲んだりした場合、前記電池の障害はユーザの不注意によるものであると判別する蓋然性が高いと言える。また、このような浸水ラベルの変色は、電池に不具合があるかも知れないことを間接的に示すインジケータとしての役割を果たす。一般に、電池は、水にかかると不良が生じる。水それ自体も問題であるが、水に含まれている不純物によっても電池が損害を負う場合がある。このため、電池がＡ／Ｓの対象であるかどうかを判別するためのＡ／Ｓラベルとして、比較的に構造が簡単な浸水ラベルを用いることにより、電池が水にかかったかどうかを容易に判別することができる。
【０００４】
従来、この種のＡ／Ｓラベルは、電池の外側の所定個所に貼り付けられるか、または電池ケースの内部の電池部品に貼り付けられて前記ケースに形成された所定の開口孔を介して一部が外部に露出されるように配置されることが普通である。その結果、前記Ａ／Ｓラベルが水にかかると、容易に脱落して無くなる可能性があり、且つ、電池の所持者が任意に損傷されていた電池に新しいＡ／Ｓラベルを貼り付けることもある。
【０００５】
一般に、電池１は、図１ないし図３に示すように、一定量の電解質と電極組立体を収める電池セル２と、電池セル２を含む電池部品を保護するためのケースとしてのボディケース４ａとカバーケース４ｂを備える。前記電池には、安全のために保護回路部３を取り付けたりもするが、保護回路部は電池セルの電極端子と接続される。
【０００６】
また、前記ボディケース４ａとカバーケース４ｂの角部には多数の突出部５が設けられているのが普通であるが、これらの突出部は、携帯電話などの該当電子機器の取り付け面に電池１を固定する。これらの突出部を結着用突出部とも呼ぶ。前記保護回路部３は、図１に示すように、本体ケース６とカバーキャップ６ａに覆われて固定されるか、または、図２及び図３に示すように、電池セル２の上方または下方の角部の一側に並んだ状態で、そのボディケース４ａとカバーケース４ｂに覆われて固定される。
【０００７】
上記の如き従来の電池の場合、前記電池セル２と保護回路部３、またはボディケース４ａとカバーケース４ｂのうちどちらか一方の外側の所定個所にＡ／Ｓラベルとしての浸水ラベル７を貼り付けるのが一般的である。ところが、上記のように浸水ラベルが電池の外側に貼り付けられる場合、水にかかると、浸水ラベルが容易に脱落されて無くなったり、電池の所持者が任意に浸水されていた電池から浸水ラベルを外して新しいものに貼り替える可能性も高かった。
【０００８】
一方、図２（電池の内部）及び図３（カバーケースが組み付けられた状態）では、Ａ／Ｓラベルとしての浸水ラベルが電池のケースの内部に配置されている構造を示している。この場合には、浸水ラベルを保護回路部の所定個所に貼り付けた後、別体として製造されたカバーケースとボディケースを用いて電池セル、保護回路部及び浸水ラベルを収めた状態で固定した構造であるため、電池の所持者が前記ボディケースとカバーケースとの間の境界部分を分離して損傷された浸水ラベルを新しいものに貼り替える可能性がある。
【発明の開示】
【０００９】
そこで、本発明においては、電池の所持者がＡ／Ｓラベルを任意に貼り替えないようにする方法を提供する。そこで、本発明の目的は、電池の所持者が電池を損傷しなくては、Ａ／Ｓラベルを任意に貼り替え不可にする電池を提供することである。また、本発明は、前記電池の製造方法を提供することを目的とする。
【００１０】
このため、本発明においては、Ａ／Ｓラベルが電池のプラスチック成形体の内部に配置されている電池を提供する。
【００１１】
すなわち、本発明においては、一定量の電解質と電極組立体を収める電池セルと、プラスチック成形体及びＡ／Ｓラベルを備える電池において、前記Ａ／Ｓラベルが電池のプラスチック成形体の内部に配置されているが、前記Ａ／Ｓラベルの一部は露出され、その周縁部は前記プラスチック成形体に埋め込まれている電池を提供する。
【００１２】
本発明の一例による電池の場合、保護回路部をさらに備えることができる。保護回路部を備える電池の場合、前記Ａ／Ｓラベルは、保護回路部形成用のプラスチック成形体の内部に配置されることも可能である。
【００１３】
本発明において、前記Ａ／Ｓラベルが配置されるプラスチック成形体は、電池に適用されるあらゆるプラスチック成形体を備える。このようなプラスチック成形体の種類には制限がない。例えば、内部ケース、ボディケースまたはカバーケースなどの電池の外付けケース、その他の連結部材や保護回路部用プラスチック成形体のようにプラスチックの成形によって得られるあらゆる種類のプラスチック成形体内に前記Ａ／Ｓラベルを配置することができる。
【００１４】
本発明に係る電池の場合、電池の所持者が電池のＡ／Ｓラベルを任意に貼り替えることを防ぐことができる。
【００１５】
本発明において、前記Ａ／Ｓラベルとは、電池に損傷や障害が生じた場合、これが電池それ自体の原因によって生じたか、それとも、ユーザの不注意によるものであるかを判別するインジケータとして働くものを意味する。
【００１６】
前記Ａ／Ｓラベルの例としては、浸水ラベル及び消費者が製品を任意に分解したかどうかを確かめるために貼り付けるステッカの一種である封止ラベルなどがある。
【００１７】
本発明は、Ａ／Ｓラベルとしての浸水ラベルに適宜に適用可能である。
【００１８】
このような浸水ラベルの一例として、水または多量の湿気によって変色したり滲んだりする特性を有する物質を用いるものがある。例えば、水への溶解性があるインクを基材に塗布してこれを浸水ラベルとして用いる場合、これは、水との接触によって色が滲む浸水ラベルになる。または、水や多量の湿気との接触によって変色するインクを基材に塗布して浸水ラベルとして用いる場合、これは、水との接触によって変色する浸水ラベルになる。浸水ラベルにおいて、このような変色の種類には制限がない。インクの元の色が他の色に変わることもでき、インクの色がなくなることもできる。
【００１９】
上記のような特性さえ有すれば、浸水ラベルに使用可能なインクの種類には制限がない。また、前記インクを塗布するための基材は、前記インクが着色できる材料であれば、その種類に制限はない。前記基材の例としては、紙、不織布などがある。従来より用いられてきている浸水ラベルの代表的な例として、赤みを帯び、水にかかる場合に脱色するインクを紙よりなる基材に塗布して得られたものが挙げられる。
【００２０】
このような浸水ラベルは、商業的に利用可能なものを購入して用いることができる。現在、各種の色を有するインクを各種の基材に塗布して製造された浸水ラベルが広く市販されている。
【００２１】
前記浸水ラベルを有するＡ／Ｓラベルは、変形または変色を外部からも観察できるように一部を露出している。
【００２２】
前記プラスチック成形体の内部にＡ／Ｓラベルを配置する場合、形体の損傷または変形無しにＡ／Ｓラベルを外すことが容易ではなく、ほとんど取り外しが不可能である。
【００２３】
本発明はまた、一定量の電解質と電極組立体を収める電池セルと、プラスチック成形体及びＡ／Ｓラベルを備える電池の製造方法であって、前記Ａ／Ｓラベルの一部は露出され、周縁部は前記プラスチック成形体に埋め込まれて前記Ａ／Ｓラベルが電池のプラスチック成形体の内部に配置されるようにプラスチック成形体を形成する段階を含む電池の製造方法を提供する。
【００２４】
前記方法において、前記前記Ａ／Ｓラベルを電池のプラスチック成形体の内部に配置する段階は、前記電池セルの外側の所定個所にＡ／Ｓラベルを貼り付ける段階と、前記Ａ／Ｓラベルが貼り付けられた電池セルを金型の成形スペース内に位置させてＡ／Ｓラベルの一部が外部に露出されるように金型に溶融樹脂を注入することにより、プラスチック成形体を形成する段階と、を含むことができる。
【００２５】
一方、前記電池は、保護回路部をさらに備えることができる。前記Ａ／Ｓラベルを電池のプラスチック成形体の内部に配置する段階は、電池セルの電極端子と保護回路部の該当電極端子を固定して電池セルと保護回路部を仮組立する段階と、前記電池セルと保護回路部のうちどちらか一方の外側の所定個所にＡ／Ｓラベルを貼り付ける段階と、前記電池セルと、保護回路部及びＡ／Ｓラベルを備える電池セル組立体を金型の成形スペース内に位置させてＡ／Ｓラベルの一部が外部に露出されるように金型に溶融樹脂を注入することにより、プラスチック成形体を形成する段階と、を含むことができる。
【００２６】
本発明はまた、保護回路が形成された基板及び接続端子を順次に電気的に接続してなる保護回路部を金型の成形スペースに入れ、前記接続端子の一部が露出されるように前記成形スペース内にプラスチック溶融物を注入・成形して保護回路部の成形体を製造する過程において、前記保護回路部にＡ／Ｓラベルを貼り付けた後、前記成形過程で前記接続端子の一部だけではなく、Ａ／Ｓラベルの一部も露出されるように保護回路部の成形体を製造する段階と、前記保護回路部の成形体を電池セルと接続する段階と、を含む電池の製造方法を提供する。
【発明を実施するための最良の態様】
【００２７】
以下、本発明を詳述する。
【００２８】
本発明に従いプラスチック成形体にＡ／Ｓラベルを配置する方法の例として、プラスチック成形体を成形する前の電池製造用部品、たとえは、電池セル、保護回路部などにＡ／Ｓラベルを配置した後、プラスチック成形を行う方法を適用することができる。
【００２９】
本発明の一例によれば、ケースとして使われるプラスチック成形体の内部にＡ／Ｓラベルが埋め込まれている。前記の例においては、ケース成形用金型の内部にＡ／Ｓラベルを配置し、前記Ａ／Ｓラベルの一部が外部に露出可能に金型の構造を調整して成形を行うことにより、Ａ／Ｓラベルをケースとして用いられるプラスチック成形体の内部に配置することができる。このような外付けケースに電池セルを収めることにより、プラスチック成形体内にＡ／Ｓラベルが配置された電池を製造することができる。
【００３０】
このため、本発明においては、Ａ／Ｓラベルが配置された電池ケースを提供することができる。
【００３１】
本発明の他の一例によれば、プラスチック成形によって電池製造用部品と一体に外付けケースを製造することができる。このとき、前記外付けケースを形成するプラスチック成形体内にＡ／Ｓラベルを配置することができる。すなわち、前記電池製造用部品を金型に入れ、前記部品のうち特定の部品の所定の位置にＡ／Ｓラベルを配置した後、前記Ａ／Ｓラベルの一部が露出されるように金型を配置してプラスチック成形を行うことにより、外付けケースの成形と同時に、Ａ／Ｓラベルをプラスチック成形体の内部に埋め込むことができる（図５及び図６参照）。
【００３２】
上記の如き電池の一例として、一定量の電解質と電極組立体を収める電池セルと、前記電池セルの外側の所定個所に配置されたＡ／Ｓラベルと、前記電池セルの電極端子とＡ／Ｓラベルの一部が外部に露出されるように前記電池セル及びＡ／Ｓラベルを覆うプラスチック成形体を備える電池がある。上記した例は、プラスチック成形体が外付けケースを形成する場合であると言える。すなわち、前記Ａ／Ｓラベルの周縁部が外付けケースを形成するプラスチック成形体の内部に埋め込まれている電池の構造が具現可能である。
【００３３】
本発明の他の一例によれば、前記電池は、保護回路部をさらに備えることができる。すなわち、一定量の電解質と電極組立体を収める電池セルと、前記電池セルの電極端子と接続される保護回路部と、前記保護回路部と電池セルのうちどちらか一方の外側の所定個所に配置されるＡ／Ｓラベルと、前記保護回路部の外側の電極端子と浸水ラベルの一部が外部に露出されるように前記電池セル、保護回路部及びＡ／Ｓラベルを覆うプラスチック成形体と、を備える電池がある。上記した例も、前記プラスチック成形体が外付けケースを形成し、Ａ／Ｓラベルの縁部は前記プラスチック成形体に埋め込まれた場合であると言える。
【００３４】
一方、本発明に係る電池の製造方法は、Ａ／Ｓラベルを電池のプラスチック成形体の内部に配置する段階を含むが、前記Ａ／Ｓラベルの一部は露出され、周縁部は前記プラスチック成形体に埋め込まれるようにプラスチック成形体を形成する段階を含む。前記Ａ／Ｓラベルを電池のプラスチック部材の内部に配置する方法の一例として、例えば、電池に使われるプラスチック成形体を製造する過程において、Ａ／Ｓラベルを配置するとき、前記Ａ／Ｓラベルの一部のみ残し、残りはプラスチック成形体の内部に埋め込まれるように金型を配置してプラスチック成形体を成形する方法がある。
【００３５】
本発明の他の一例によれば、電池セルの外側の所定個所にＡ／Ｓラベルを貼り付ける段階と、前記Ａ／Ｓラベルが貼り付けられた電池セルを金型の成形スペース内に位置させて電池セルの電極端子とＡ／Ｓラベルの一部が外部に露出されるように一定量の溶融樹脂を金型内に注入することにより、プラスチック成形体を形成する段階と、を含む方法によって本発明に係る電池を製造することができる。上記した例においては、前記プラスチック成形体が外付けケースとして働くことができる。
【００３６】
本発明のさらに他の実施の形態によれば、前記電池は、保護回路部をさらに備えることができる。電池セルの電極端子と保護回路部の該当端子を固定して電池セルと保護回路部を仮組立する段階と、前記電池セルと保護回路部のうちどちらか一方の外側の所定個所にＡ／Ｓラベルを貼り付ける段階と、前記電池セルと、保護回路部及びＡ／Ｓラベルを備える電池セル組立体を金型の成形スペース内に位置させ、その保護回路部の電極端子とＡ／Ｓラベルの一部が外部に露出されるように金型内に一定量の溶融樹脂を注入することにより、プラスチック成形体を形成する段階と、を含む方法によって本発明に係る電池を製造することができる。前記例においても、前記プラスチック成形体が外付けケースとして働くことができる。
【００３７】
前記外付けケースを形成する段階において、電池が該当電子機器、例えば、携帯電話、ＰＤＡなどに安定的に着脱自在に前記外付けケースの所定個所に所定数の突出部をさらに形成することも可能である。前記突出部は、結着用突出部とも呼ばれる。
【００３８】
本発明のさらに他の一例によれば、保護回路部を別体に製造した後、これを電池セルと結合して電池を製造することができる。すなわち、保護回路部のプラスチック成形体を別体として製造し、これを電池セルと接続して電池を製造する方法においては、前記保護回路部のプラスチック成形体の製造に当たり、前記Ａ／Ｓラベルを貼り付けることができる。
【００３９】
すなわち、保護回路を備える保護回路部製造用の部品を一体に金型に入れて成形を行う場合、保護回路部製造用の部品のうち特定の部品の所定個所にＡ／Ｓラベルを配置した後、前記Ａ／Ｓラベルの一部が露出されるように金型を配置してプラスチック成形を行うことができる。この場合、保護回路部の成形と同時に、Ａ／Ｓラベルをプラスチック成形体の内部に配置することにより、周縁部が成形体に埋め込まれて一体化可能になる（図７及び図８参照）。
【００４０】
例えば、保護回路が形成された基板及び接続端子を順次に電気的に接続してなる保護回路部を金型の成形スペースに入れ、前記接続端子の一部が露出されるように前記成形スペース内に溶融樹脂を注入してプラスチック成形体を成形することにより、保護回路部のプラスチック成形体を製造する過程において、前記保護回路部にＡ／Ｓラベルを貼り付けた後、成形過程で前記Ａ／Ｓラベルの一部が露出されるように保護回路部の成形体を製造した後、これを電池セルと接続することによってＡ／Ｓラベルがプラスチック部材内に配置された電池を製造することができる。
【００４１】
本発明のプラスチック成形体を形成するために使用可能な樹脂としては、溶融樹脂がある。このような溶融樹脂は、例えば、熱溶融樹脂及び揮発性溶融樹脂を含む。前記樹脂の非制限的な例として、ポリイミド樹脂、エポキシ樹脂などがある。しかし、このような樹脂はこれらの種類に限定されず、本発明の適用範囲内において、当業者であれば、必要な樹脂を制限無しに選んで用いることができる。
【００４２】
本発明による場合、Ａ／Ｓラベルが任意に脱落しないようにでき、電池の所持者が任意に電池のＡ／Ｓラベルを貼り替えることを防ぐことができる。
【実施例】
【００４３】
＜実施例＞
以下、添付した図面に基づき、本発明の実施例を一層詳述する。
【００４４】
本発明の実施の形態においては、Ａ／Ｓラベルとして浸水ラベルを用いる。下記実施例において使われた浸水ラベルは、紙よりなる基材上に赤い模様が形成されているものであって、水との接触によって前記模様が消える、すなわち、赤色が透明に変わる特徴がある。
【００４５】
図４は、浸水ラベルを有する電池パックの製造方法の一実施例であって、図４に示すように、電池セル２と保護回路部３のうちどちらか一方の外側の所定個所に浸水ラベル７を貼り付ける段階（４１０）と、前記浸水ラベル７の縁部がその電池セル２と保護回路部３のうち該当隣接部分に一体に固定されるように、その浸水ラベル７の縁部と該当隣接部分に一定量の溶融樹脂を注入して外皮層を形成して浸水ラベルをプラスチック成形体の内部に配置する段階（４２０）と、前記保護回路部３の電極端子と電池セル２の該当電極端子を固定してその電池セルと保護回路部３を仮組立する段階（４３０）と、前記電池セル２と仮組立された保護回路部３の外側の電極端子と浸水ラベル７の一部が外部に露出されるように前記電池セル２と保護回路部３の外部に外付けケース４を設ける段階（４４０）と、を含む。
【００４６】
ここで、前記外付けケース４は、例えば、別途の上ケースと下ケースが熱融着されてなるか、または、金型のインサートモールド工程を通じて一体に形成される。
【００４７】
図５は、浸水ラベルを有する電池パックの製造方法の他の実施例を示す。
【００４８】
この実施例においては、一定量の電解質と電極組立体を収める電池セル２と、この電池セルの電極端子と該当電極端子がそれぞれ接続される保護回路部３と、この保護回路部と電池セル２のうちどちらか一方の外側の所定個所に配置される浸水ラベル７と、前記保護回路部３の外側の電極端子と浸水ラベル７の一部が外部に露出されるように前記電池セル２、保護回路部３及び浸水ラベル７を覆うプラスチック成形体を備える外付けケース４と、を備える電池を製造する。このようにして製造された電池の外観は、図６に示してある。
【００４９】
前記電池セル２は、４ｃｍ×４ｃｍ×０．５ｃｍの寸法を有し、アルミ箔により外部が包まれているリチウムイオン電池である。前記保護回路部３としては、前記電池セル２の端子に接続されて過電流、過放電及び過充電から電池を一次的に保護する安全素子としてのＰＴＣ素子３ａを備えることができる。
【００５０】
先ず、電池セル２の端子と保護回路部３の端子を固定して電池セルと保護回路部を仮組立する（５１０）。そして、前記保護回路部３の左側に浸水ラベル７を貼り付ける（５２０）。
【００５１】
次いで、前記電池セル２、保護回路部３及び浸水ラベル７よりなる電池セル組立体８を金型に位置させるが、保護回路部３の電極端子と浸水ラベル７の一部は外部に露出できるように、前記電池セル組立体８の残りの部分に熱溶融樹脂を注入してプラスチック成形体としての外付けケース４を形成する（５３０）。その結果、前記プラスチック成形体の内部に浸水ラベルの縁部が埋め込まれて一部だけが露出される。このとき、前記外付けケース４を形成する段階（５３０）において、電池パック１’が電子機器に安定的に着脱自在にその外付けケース４の下部に２つの突出部５としての結着用突出部をさらに形成する（図６参照）。
【００５２】
前記熱溶融樹脂としては、例えば、ポリアミド樹脂またはエポキシ樹脂を用いることができる。
【００５３】
図７および図８においては、保護回路部の構成部品をインサート射出成形して保護回路部を形成し、これを電池セルと結合して電池を製造する実施例を示している。
【００５４】
先ず、保護回路２２が形成された基板２１の一側に安全素子２５が選択的に固定されるマイナス（−）接続端子２４ｂを取り付け、併せて、その基板２１の他側にプラス（＋）ニッケルクラッド２４ａを取り付けて保護回路部２６を用意する。このとき、前記各−接続端子２４ｂと＋ニッケルクラッド２４ａは、基板２１の該当個所に溶接方式により固定できる。一方、接着剤を用いてＡ／Ｓラベルとしての浸水ラベルを前記端子が位置しない個所に配置する（図示せず）。
【００５５】
その後、前記浸水ラベルが配置された保護回路部２６を電池セル１０とは別途に金型の成形スペース内に位置させた後、前記保護回路部２６の基板２１に取り付けられた接続端子２４ａ，２４ｂの一部及び浸水ラベルの一部を外部に露出させた状態で、金型の成形スペース内に溶融樹脂を注入して単体の保護回路部インサート射出成形体２０を製造する。
【００５６】
前記保護回路部のインサート射出成形体の形成段階とは別途に、電池セル１０を用意する。前記保護回路部の射出成形体２０の該当接続端子２４ａ，２４ｂのうち露出された部分をその電池セル１０の両電極端子１１ａ，１１ｂに接続されるように配置し、前記保護回路部の射出成形体２０の両接続端子２４ａ，２４ｂ側の上方面の該当開口部（端子部）を介してスポット溶接（図示せず）の溶接チップを入れ、両接続端子２４ａ，２４ｂを電池セル１０の該当電極端子１１ａ，１１ｂに溶接する。このとき、前記保護回路部のインサート射出成形体２０の両接続端子２４ａ，２４ｂの外部に露出された部分の一つである＋接続端子２４ａが電池セル１０の該当電極端子に溶接されるだけで、残りの接続端子も弾性力によって電気的に接続状態を保持することが可能になり、併せて、前記保護回路部のインサート射出成形体２０も該当電極端子間の溶接力によって電池セル１０に一体に取付け可能になる。
【００５７】
前記本発明に係る電池の場合、電池が浸水されても、Ａ／Ｓラベルとして働く浸水ラベルが外されることなく、併せて、電池の所持者が任意に電池の浸水ラベルを新しいものに貼り替えてその電池がまるで浸水されなかったかのように装うことを防ぐことができる。
【００５８】
産業上の利用可能性
本発明はＡ／Ｓラベルが電池のプラスチック部材内に配置されている電池及びその製造方法に関し、本発明に係る前記電池の場合、電池からＡ／Ｓラベルが外されることがなく、電池の所持者が任意に前記Ａ／Ｓラベルを変形したり他のものに貼り替えることを防ぐことができる。
【図面の簡単な説明】
【００５９】
【図１】電池ケースの外部に浸水ラベルが貼り付けられる従来の電池の一例を示す概略斜視図。
【図２】電池ケースの内部に浸水ラベルが貼り付けられる従来の電池の内部を示す概略斜視図。
【図３】図２における電池のボディケースにカバーケースが組み付けられた状態を示す概略斜視図。
【図４】Ａ／Ｓラベルとしての浸水ラベルを有する電池の製造方法を説明するためのフローチャートの一例である。
【図５】本発明の一実施の形態によるＡ／Ｓラベルとしての浸水ラベルを有する電池の製造方法を説明するためのフローチャート。
【図６】本発明の一実施の形態に従い製造された電池の概略斜視図。
【図７】本発明の一実施の形態に従い製造された電池の概略分解図。
【図８】本発明の一実施の形態に従い製造された電池の概略正面図。
【００６０】
＜符号の説明＞
１，１’：電池                              ２，１０：電池セル
３：保護回路部                              ４：外付けケース
４ａ：ボディケース                          ４ｂ：カバーケース
７：Ａ／Ｓラベル（浸水ラベル）              ８：電池セル組立体
２２：保護回路                              ２６：保護回路部
【図１】
2007527104.tif 000003
【図２】
2007527104.tif 000004
【図３】
2007527104.tif 000005
【図４】
2007527104.tif 000006
【図５】
2007527104.tif 000007
【図６】
2007527104.tif 000008
【図７】
2007527104.tif 000009
【図８】
2007527104.tif 000010
【国際調査報告】
2007527104.tif 000011
2007527104.tif 000012